(57)【特許請求の範囲】
【請求項１】
ディスクの中心孔に対して挿入可能なようにターンテーブルに設けられている挿入凸部と、
前記挿入凸部から突出し、前記ディスクのチャッキング時に前記ディスクに接するように回動支点を軸にして回動するチャック爪と、
前記チャック爪における力部と嵌合される該チャック爪を作動させるための嵌合部を備えるチャック爪回動部材と、
前記チャック爪回動部材を移動させる移動手段と、を備え、
前記チャック爪回動部材は、弾性部材により付勢されることにより前記力部を介して前記チャック爪を作動させ前記ディスクのチャッキング状態を保持し、前記移動手段の前記チャック爪回動部材への当接により前記弾性部材の付勢方向と反対方向に移動することで前記力部を介して前記チャック爪を作動させ、前記ディスクのチャッキング状態が解除されることを特徴とするチャッキング装置。
【請求項２】
前記チャック爪回動部材と前記移動手段は傾斜形状部分を有し、相互に当接することにより、前記チャック爪回動部材が移動されるものであることを特徴とする請求項１に記載のチャッキング装置。
【請求項３】
前記チャック爪回動部材に対して、前記移動手段は複数設けられていることを特徴とする請求項１または２に記載のチャッキング装置。
【発明の詳細な説明】
【０００１】
【発明の属する技術分野】
本発明は、ディスク装置に係り詳細にはディスクチャッキング部の構造に関する。
【０００２】
【従来の技術】
従来のディスクチャッキング装置を図６、図７および図８を用いて説明する。
【０００３】
図６は従来のディスクチャッキング装置の要部を示す概略図で、（ａ）分解図、（ｂ）組立図である。図７は従来のチャック爪を示す概略拡大図で、（ａ）正面図、（ｂ）平面図である。図８は従来のディスクチャッキング装置を用いたチャッキング動作を説明する側断面拡大図である。
【０００４】
５０はディスクチャッキング装置の要部で、図６に示すようにチャック爪６０、ターンテーブル７０、チャック爪回動部材８０、圧縮コイルばね５２、モータ５３、トップカバー９０および固定ねじ９５などにより構成されている。
【０００５】
チャック爪６０は、後述するターンテーブル７０の挿入凸部７１に挿入されたディスク５５の中心孔の縁部を押圧し、ディスク５５をターンテーブル７０にチャッキングする部品である。チャック爪６０は、図７で示すように板状の本体部６１の図示上方にディスク５５を押圧する押圧爪部６２が形成されており、押圧爪部６２の図示下方に本体部６１より両側方向に突出して回動支点軸６３が形成されている。また、回動支点軸６３の図示右方には後述するチャック爪回動部材８０の円凸部８１の端部外周に当接するように、下方から右上方へ傾斜する傾斜部６４が形成されている。チャック爪６０は、圧縮コイルばね５２により付勢され、ターンテーブル７０の方向へ押し上げらたチャック爪回動部材８０により回動しディスク５５を押圧してチャッキングする。また、チャック爪回動部材８０が下降して円凸部８１の端部外周がチャック爪６０の傾斜部６４から離れると、チャック爪６０は自重により回動支点軸６３を支点にして図示下方へ回動して、ディスク５５を押圧していたチャッキング状態が解除される。尚、チャック爪６０はディスク５５の中心孔の縁部を３箇所（本例は１２０度間隔）押圧するように配設されている。チャック爪６０の材料には樹脂部材が用いられ樹脂成形加工により形成される。
【０００６】
ターンテーブル７０は、図８で示すように円板形状をしており上面にはディスク５５の中心孔が挿通する挿入凸部７１（先端部には挿入し易いように面取りが施されている）が形成されている。挿入凸部７１の外周部にはチャック爪６０の回動支点軸６３が係止する係止部７２が３箇所（本例は１２０度間隔）形成されている。また、ターンテーブル７０の挿入凸部７１の天面の裏面の中心から円筒部７３が形成されており、円筒部７３の孔はモータ５３の回転軸５４に対し圧入寸法に形成されている。尚、円筒部７３の外周はチャック爪回動部材８０のガイド孔８３に係合する摺動面となる。ターンテーブル７０の材料には樹脂部材が用いられ樹脂成形加工により形成される。
【０００７】
チャック爪回動部材８０は、図８で示すように円板８５の上面には、チャック爪６０を回動させディスク５５をチャッキング状態にさせる円凸部８１が形成されている。円凸部８１の天面の裏面の中心部に円筒部８２が形成されており、円筒部８２の内径はターンテーブル７０の円筒部７３に係合するガイド孔８３となる。また、円板８５の外周縁部には上面から下面方向へ増径するテーパ部８４が形成されている。チャック爪回動部材８０は、円筒部８２の外周に緩挿して配設された圧縮コイルばね５２により、常時ターンテーブル７０の方向へ押し上げられている。チャック爪回動部材８０の材料には樹脂部材が用いられ樹脂成形加工により形成される。
【０００８】
トップカバー９０は、ターンテーブル７０の係止部７２に係止させた３箇所のチャック爪６０を保持するためのカバーで、図６（ａ）で示すように円板状をしており外周の３方向に保持部９１が形成され、中心部には固定ねじ９５が挿通する取付孔が形成されいる。トップカバー９０は、チャック爪６０を係止部７２に係止させた後に、ターンテーブル７０の挿入凸部７１の天面に被せ固定ねじ９５によりねじ止め固定する。トップカバー９０の材料には樹脂部材が用いられ樹脂成形加工により形成される。
【０００９】
次に、ディスクのチャッキング動作を図８を用いて説明する。
【００１０】
ディスク５５がターンテーブル７０の中心部近傍まで搬送されてくると、駆動板５７が中心方向へ移動して、駆動板５７の傾斜部５８がチャック爪回動部材８０のテーパ部８４に当接する。そして、駆動板５７がさらに移動すると駆動板５７の傾斜部５８に沿ってチャック爪回動部材８０が図示下方へ移動する。チャック爪回動部材８０が下方へ移動すると、チャック爪回動部材８０により押し上げられていたチャック爪６０は、回動支点軸６３を支点にして自重により下方へ回動する。そして、チャック爪６０の押圧爪部６２が、ターンテーブル７０の挿入凸部７１の外周がら内部に回動すると、ディスク５５がターンテーブル７０の挿入凸部７１に挿入し載置される。次に、駆動板５７が外周方向へ移動して元の位置に戻ると、チャック爪回動部材８０は下方に配設された圧縮コイルばね５２により上方へ押し上げられるので、駆動板５７の傾斜部５８に沿ってチャック爪回動部材８０が上昇する。チャック爪回動部材８０が図示上方へ移動すると、チャック爪回動部材８０の円凸部８１の天面の外周部がチャック爪６０の傾斜部５８に当接し、さらに上昇するとチャック爪６０が回動支点軸６３を支点にして上方へ回動する。そして、チャック爪６０の押圧爪部６２が、ターンテーブル７０に載置されたディスク５５の中心孔の縁部を押圧してターンテーブル７０に固定する。以下、モータ５３が回転してディスク５５の再生が行われる。
【００１１】
【発明が解決しようとする課題】
しかし、上述のディスクチャッキング装置によれば、ディスク５５をチャッキングする場合には、チャック爪回動部材８０によりチャック爪６０を押し上げて回動させ、チャック爪６０の押圧爪部６２でディスク５５をターンテーブル７０にチャッキングするようになっている。しかし、チャッキング状態を解除する場合には、チャック爪回動部材８０を元の位置へ下降させることにより、チャック爪６０がチャック爪回動部材８０の円凸部８１から離れ、チャック爪６０の自重により下方へ回動し、ディスク５５のチャッキング状態が解除されるようになっている。しかし、チャック爪６０に僅かな負荷が加わると、自重による回動ができずに、確実なチャッキング状態の解除ができなくなり、正常なディスク５５の装着および脱着ができにくくなるという問題がある。
【００１２】
また、ディスク５５のチャッキング解除状態ではチャック爪６０がフリーな状態となるので、外部振動が加わった場合には、チャック爪６０が共振しビビリ音（異音）を発生させるという問題がある。
【００１３】
その他に、チャック爪回動部材８０の円筒部８２のガイド孔８３とターンテーブル７０の円筒部７３との係合部（摺動部）の長さが短いので、ターンテーブル７０の円筒部７３に対してチャック爪回動部材８０が傾き易く、特に両者の嵌合状態やチャック爪回動部材８０を移動させる複数の駆動板５７の力のバランスが崩れることにより大きく傾く場合がある。チャック爪回動部材８０が大きく傾いた場合には摺動時に負荷が増加し円滑な摺動ができなくなる場合がある。この対策としてチャック爪回動部材８０を押し上げている圧縮コイルばね５２の弾性力を強くすれば、チャック爪回動部材８０を押し下げる駆動板５７にかかる負荷が増え無駄な駆動力が必要となるという問題が残る。
【００１４】
本発明は上述の問題を解決するもので、簡略な構成でディスクをターンテーブルにチャッキングとチャッキングの解除が正常に行えるディスクチャッキング装置を提供することを目的とする。
【００１５】
【課題を解決するための手段】
本発明は上述の目的を達成するもので、ディスクの中心孔に対して挿入可能なようにターンテーブルに設けられている挿入凸部と、前記挿入凸部から突出し、前記ディスクのチャッキング時に前記ディスクに接するように回動支点を軸にして回動するチャック爪と、
前記チャック爪における力部と嵌合される該チャック爪を作動させるための嵌合部を備えるチャック爪回動部材と、前記チャック爪回動部材を移動させる移動手段と、を備え、前記チャック爪回動部材は、弾性部材により付勢されることにより前記力部を介して前記チャック爪を作動させ前記ディスクのチャッキング状態を保持し、前記移動手段の前記チャック爪回動部材への当接により前記弾性部材の付勢方向と反対方向に移動することで前記力部を介して前記チャック爪を作動させ、前記ディスクのチャッキング状態が解除されることを特徴とするものである。
【００１６】
また、前記チャック爪回動部材と前記移動手段は傾斜形状部分を有し、相互に当接することにより、前記チャック爪回動部材が移動されることを特徴とするものである。
【００１７】
また、前記チャック爪回動部材に対して、前記移動手段は複数設けられていることを特徴とするものである。
【００２２】
【発明の実施の形態】
本発明の第１の実施の形態を図１乃至図５を用いて説明する。
【００２３】
図１は本発明の実施の形態に係るディスクチャッキング装置の要部を示す概略図で、（ａ）分解図、（ｂ）組立図である。図２は本発明の実施の形態に係るチャック爪を示す概略拡大図で、（ａ）正面図、（ｂ）平面図である。図３は本発明の実施の形態に係るターンテーブルを示す概略図で、（ａ）正面図、（ｂ）Ａ−Ａ断面図である。図４は本発明の実施の形態に係るチャック爪回動部材を示す概略図で、（ａ）正面図、（ｂ）Ｂ−Ｂ断面図である。図５は本発明の実施の形態に係るディスクチャッキング装置を用いたチャッキング動作を説明する側断面拡大図である。
【００２４】
１０はディスクチャッキング装置の要部で、図１に示すようにチャック爪２０、ターンテーブル３０、チャック爪回動部材４０、圧縮コイルばね１２およびモータ１３などにより構成されている。
【００２５】
チャック爪２０は、後述するターンテーブル３０の挿入凸部３１に挿入されたディスク１５の中心孔の縁部を押圧し、ディスク１５をターンテーブル３０にチャッキングする部品である。チャック爪２０は、図２で示すように板状の本体部２１の図示上方にディスク１５を押圧する押圧爪部２２（作用部）が形成されており、押圧爪部２２の図示下方に本体部２１より両側方向に突出して回動支点となる回動支点軸２３が形成されている。また、回動支点軸２３と対向（図示右側）する位置に、チャック爪２０を回動させる力点（力部）となる回動支軸２４が本体部２１より両側方向に突出して形成されている。回動支軸２４は後述するチャック爪回動部材４０に形成された支軸嵌合部４４に係合しており、チャック爪回動部材４０の上下移動に連動してチャック爪２０が強制的に回動する。尚、チャック爪２０はディスク１５の中心孔の縁部を３箇所（本例は１２０度間隔）押圧するように配設されている。チャック爪２０の材料には樹脂部材が用いられ樹脂成形加工により形成される。
【００２６】
ターンテーブル３０は、図３で示すように円板形状をしており上面にはディスク１５の中心孔が挿通する挿入凸部３１が形成されており、先端部には挿入し易いように面取りが施されている。挿入凸部３１の天面にはチャック爪回動部材４０のガイド壁部４３が挿通する孔３２（本例は１２０度間隔で３箇所）と、挿入凸部３１の外周部にチャック爪２０の回動支点軸２３が挿入され係合する支点軸係合部３３が３箇所（本例は１２０度間隔）形成されている。また、ターンテーブル３０の挿入凸部３１の天面の裏面の中心から円筒部３４が形成されており、円筒部３４の孔はモータ１３の回転軸１４に対し圧入寸法に形成されている。尚、円筒部３４の外周はチャック爪回動部材４０のガイド孔４６およびガイド壁部４３に係合する摺動面となる。ターンテーブル３０の材料には樹脂部材が用いられ樹脂成形加工により形成される。
【００２７】
チャック爪回動部材４０は、チャック爪２０を回動させる部材である。チャック爪回動部材４０は、図４で示すように円板４７の上面に円凸部４１が形成されている。円凸部４１の天面の裏面（対向面）の中心部には円筒部４２が形成され、円筒部４２の内径はターンテーブル３０の円筒部３４の外周に係合するガイド孔４６となっている。また、円凸部４２のガイド孔４６の外周部には、ターンテーブル３０の円筒部３４の外周に係合するガイド壁部４３が３箇所（本例は１２０度間隔）立設しており、ガイド壁部４３の高さ方向の略中間部分の外周には、チャック爪２０の回動支軸２４が嵌合する支軸嵌合部４４が形成されている。また、円板４７の外周縁部には上面から下面方向へ増径するテーパ部４５が形成されている。尚、チャック爪回動部材４０は、円筒部４２の外周に緩挿して配設された圧縮コイルばね１２により、常時ターンテーブル３０の方向へ押し上げられている。チャック爪回動部材４０の材料には樹脂部材が用いられ樹脂成形加工により形成される。
【００２８】
次に、ディスクのチャッキング動作を図５を用いて説明する。
【００２９】
ディスク１５がターンテーブル３０の中心部近傍まで搬送されてくると、駆動板１７が中心方向へ移動して、駆動板１７の傾斜部１８がチャック爪回動部材４０のテーパ部４５に当接する。そして、駆動板１７がさらに移動すると駆動板１７の傾斜部１８に沿ってチャック爪回動部材４０が下方へ移動する。チャック爪回動部材４０が下方へ移動すると、チャック爪回動部材４０の支軸嵌合部４４に係合したチャック爪２０の回動支軸２４が、ターンテーブル３０の支点軸係合部３３に係合した回動支点軸２３を支点にして下方へ回動する。そして、チャック爪２０の押圧爪部２２がターンテーブル３０の挿入凸部３１の外周から内部に回動すると、ディスク１５がターンテーブル３０の挿入凸部３１に挿入し載置される。次に、駆動板１７が外周方向へ移動して元の位置に戻ると、チャック爪回動部材４０は下方に配設された圧縮コイルばね１２により上方へ押し上げられているので、チャック爪回動部材４０が上昇する。チャック爪回動部材４０が上方へ移動すると、チャック爪回動部材４０の支軸嵌合部４４に係合したチャック爪２０の回動支軸２４が、回動支点軸２３を支点にしてターンテーブル３０の方向へ回動する。そして、チャック爪２０の押圧爪部２２がターンテーブル３０に載置されたディスク１５の中心孔の縁部を押圧してターンテーブル３０に固定する。以下、モータ１３が回転してディスク１５の再生が行われる。
【００３０】
以上説明したように本発明の第１の実施の形態に係るディスクチャッキング装置１０によれば、ディスク１５をターンテーブル３０にチャッキングおよびチャッキング解除させるのに、チャック爪２０を回動させて行うが、チャック爪２０がターンテーブル３０の支点軸係合部３３と、チャック爪回動部材４０の支軸嵌合部４４とで保持され、チャック爪回動部材４０の動きに連動して強制的に回動するので、ターンテーブル３０に対してディスク１５を確実にチャッキングおよびチャッキング解除させることができる。また、チャック爪２０が支点軸係合部３３と支軸嵌合部４４とで常時保持されているので、振動が加わってもビビリ音（異音）の発生を防止すくことができる。
【００３１】
また、ディスクチャッキング装置の構成が簡略化され、組立が容易になると共に構成部品点数が削減されコスト低減が図れる。
【００３２】
その他に、チャック爪回動部材４０のガイド孔４６の外周部にガイド壁部４３を設けることにより、ターンテーブル３０の円筒部３４の外周との係合部（摺動部）の長さが長くなり、チャック爪回動部材４０が円筒部３４に対して傾きにくくなる。その結果、摺動時の負荷が減少するので円滑な摺動が行われ無駄な駆動力が削減される。
【００３３】
【発明の効果】
以上説明したように本発明によれば、簡略な構成でディスクをターンテーブルにチャッキングとチャッキングの解除が正常に行えるディスクチャッキング装置を提供することができる。
【図面の簡単な説明】
【図１】本発明の実施の形態に係るディスクチャッキング装置の要部を示す概略図である。
【図２】本発明の実施の形態に係るチャック爪を示す概略拡大図である。
【図３】本発明の実施の形態に係るターンテーブルを示す概略図である。
【図４】本発明の実施の形態に係るチャック爪回動部材を示す概略図である。
【図５】本発明の実施の形態に係るディスクチャッキング装置を用いたチャッキング動作を説明する側断面拡大図である。
【図６】従来のディスクチャッキング装置の要部を示す概略図である。
【図７】従来のチャック爪を示す概略拡大図である。
【図８】従来のディスクチャッキング装置を用いたチャッキング動作を説明する側断面拡大図である。
【符号の説明】
１０・・ディスクチャッキング装置
１２・・圧縮コイルばね
１３・・モータ
１４・・回転軸
１５・・ディスク
１７・・駆動板
１８・・傾斜部
２０・・チャック爪
２１・・本体部
２２・・押圧爪部
２３・・回動支点軸
２４・・回動支軸
３０・・ターンテーブル
３１，４１・・挿入凸部
３２・・孔
３３・・支点軸係合部
３４，４２・・円筒部
４０・・チャック爪回動部材
４３・・ガイド壁部
４４・・支軸嵌合部
４５・・テーパ部
４６・・ガイド孔
４７・・円板
【図１】
0004297470.tif 000002
【図２】
0004297470.tif 000003
【図３】
0004297470.tif 000004
【図４】
0004297470.tif 000005
【図５】
0004297470.tif 000006
【図６】
0004297470.tif 000007
【図７】
0004297470.tif 000008
【図８】
0004297470.tif 000009